(57)【特許請求の範囲】
【請求項１】
中央制御装置によりデータ通信装置を介して被遠隔管理装置を遠隔管理する遠隔管理システムにおいて、
前記データ通信装置と前記被遠隔管理装置との間を無線化するために、該データ通信装置に接続される無線親局と、前記被遠隔管理装置に接続される無線子局とを設け、
前記データ通信装置に、
前記被遠隔管理装置を識別する識別情報が予め記憶されているメモリと、該識別情報を前記無線親局へ出力する手段とを設け、
前記無線親局に、
前記識別情報を接続要求情報に付加して前記無線子局へ無線送信する手段を設け、
前記無線子局に、
自局に接続されている被遠隔管理装置の識別情報を取得する識別情報取得手段と、
前記無線親局から前記接続要求情報を受信したとき、該接続要求情報に付加されている識別情報と前記識別情報取得手段によって取得した識別情報とを比較して両識別情報が一致するか否かを判断する手段と、
該手段によって両識別情報が一致すると判断した場合に接続応答情報を前記無線親局へ無線送信する手段とを設けた
ことを特徴とする遠隔管理システム。
【請求項２】
請求項１記載の遠隔管理システムにおいて、
前記被遠隔管理装置が、前記データ通信装置と接続可能なシリアル通信インタフェースを有し、
前記無線子局に、前記シリアル通信インタフェースと同等のシリアル通信インタフェースと、自局に接続される被遠隔管理装置の識別情報を入力する入力手段とを設け、
前記無線子局の識別情報取得処理手段が、前記入力手段によって入力された識別情報を含むセレクティング信号を前記各シリアル通信インタフェースを介して当該無線子局に接続されている被遠隔管理装置へ出力する手段と、該手段によって出力したセレクティング信号に対して所定の応答情報を受信したとき、前記入力手段によって入力された識別情報を記憶することにより、当該無線子局に接続されている被遠隔管理装置の識別情報を取得する手段とを有することを特徴とする遠隔管理システム。
【請求項３】
請求項１記載の遠隔管理システムにおいて、
前記被遠隔管理装置が、前記データ通信装置と接続可能なシリアル通信インタフェースを有し、
前記無線子局に、前記シリアル通信インタフェースと同等のシリアル通信インタフェースを設け、
前記無線子局の識別情報取得処理手段が、当該無線子局に接続されている被遠隔管理装置に設定可能な複数の異なる識別情報を１つずつ含む複数のセレクティング信号を順次前記各シリアル通信インタフェースを介して該被遠隔管理装置へ出力するセレクティング信号出力手段と、該手段によって出力したいずれかのセレクティング信号に対して所定の応答情報を受信したとき、そのセレクティング信号に含めた識別情報を記憶することにより、当該無線子局に接続されている被遠隔管理装置の識別情報を取得する手段とを有することを特徴とする遠隔管理システム。
【請求項４】
請求項３記載の遠隔管理システムにおいて、
前記無線子局に、前記セレクティング信号出力手段によって出力したいずれのセレクティング信号に対しても所定の応答情報を受信しなかったとき、その旨を表示する手段を設けたことを特徴とする遠隔管理システム。
【発明の詳細な説明】
【０００１】
【発明の属する技術分野】
この発明は、中央制御装置（遠隔管理装置）によりデータ通信装置を介して複写装置，プリンタ，ファクシミリ装置等の画像形成装置などの被遠隔管理装置を遠隔管理する遠隔管理システムに関する。
【０００２】
【従来の技術】
例えば、画像形成装置の遠隔管理システムとしては、不特定多数のユーザ（顧客）のオフィス等に設置された１台あるいは複数台の画像形成装置（被遠隔管理装置）を通信回線，データ通信装置，および公衆回線（電話回線）を利用して、販売，サービスの拠点（会社）などに設置されている中央制御装置（ホストマシン）と接続可能にしたものが一般に知られている。
【０００３】
このような遠隔管理システムにおいては、オフィス等に設置されている複数の画像形成装置（被遠隔管理装置）を中央制御装置が１つの公衆回線により遠隔管理できるように、それを仲介するデータ通信装置が、例えば図２に示すように複数の画像形成装置との通信回線を設けることができるようにしている。
【０００４】
さらに、中央制御装置がそれぞれの画像形成装置を個別に管理できるように、それぞれの画像形成装置に識別番号（識別情報）を振り、この識別番号をデータ通信装置に記憶させておくことにより、そのデータ通信装置が通信すべき画像形成装置を選定できるようにしている。
識別番号の登録（記憶）は、それぞれの画像形成装置を設置する際に実施するのが一般的である。
【０００５】
ところで、特定小電力無線，パーソナル無線，アマチュア無線等の無線送受信装置（無線装置）では、定められた無線チャネルを有効に活用するために、通信の度に使用されていないチャネル（空きチャネル）を検索し、その空きチャネル上で無線通信を行なうのが一般的である。
【０００６】
例えば、無線設備の標準規格の１つであるＲＣＲ−ＳＴＤ１７Ａでは、チャネル番号１から１０までの１０種類の無線チャネルが定められており、このうちのチャネル番号１０は、周波数制御チャネルと定められている。
したがって、この標準規格に準拠した無線装置では、以下の（１）〜（３）に示すようにして無線通信用チャネル（無線通信回線）を確保した後、情報（データ）を伝送するのが一般的である。
【０００７】
（１）無線装置の送信側装置は、まず、チャネル番号１から９について空きチャネル（無線通信用チャネル）を探して選択し、その選択した空きチャネルの情報（チャネル情報）を含む無線通信回線接続要求情報を周波数制御チャネルであるチャネル番号１０で無線送信し、その後選択した空きチャネルで無線通信回線接続応答情報を受信するのを待つ。
【０００８】
（２）無線装置の受信側装置は、通常、チャネル番号１０で受信待機し、チャネル情報を含む無線通信回線接続要求情報を受信したら、その情報に基づいて送信側装置で選択された空きチャネルを認識し、その空きチャネルで無線通信回線接続応答情報を返送（無線送信）する。
【０００９】
（３）送信側装置は、選択した空きチャネルで受信側装置からの無線通信回線接続応答情報を受信したら、そのチャネルで情報の送信を開始する。
なお、上記方法においては、何れの無線装置も通信回線を確保する際にチャネル番号１０を使用するため、１つの無線装置がチャネル番号１０を占有してしまうと、他の無線装置が通信回線を確保できなくなる。
【００１０】
このため、標準規格においては、チャネル番号１０を連続して使用できる時間を０．２秒に制限している。
また、その他のチャネル（チャネル番号）についても、１つの無線装置が長時間占有しないように、連続して使用できる時間を４０秒に制限している。
さらに、受信側装置が無線通信回線接続要求情報を受信してから無線通信回線接続応答情報を返送するまでの時間も０．２秒以内と規定している。
【００１１】
さらにまた、コードレス電話装置のように、１台の無線親局と複数台の無線子局があるとき、無線親局は特定の１台の無線子局とだけ無線通信回線を形成できるように、周波数制御チャネルで送信する無線通信回線接続要求情報には、回線接続したい無線子局のＩＤ（識別情報）を付加するようにし、これを受信した無線子局は、受信したＩＤと自分のＩＤとが一致するか否かをチェック（調査）し、一致している場合にのみ無線通信回線接続応答情報を返送するようにしている。
【００１２】
但し、そのためには、無線親局にそれぞれの無線子局のＩＤを予め記憶させておかなければならず、また、無線親局が記憶している無線子局のＩＤと実際に存在する無線子局のＩＤが一致しなければ、通信ができないため、これらの無線親局と無線子局はセットで製造，販売されるように管理しなければならない。
無線装置のＩＤ登録手段としては、例えば特開平１０−２６２２７８号公報あるいは特開平１１−２７７６０号公報などに見られるように、多くのものが提案されている。
【００１３】
【発明が解決しようとする課題】
このような無線通信方式を画像形成装置の遠隔管理システムに使用し、例えば図１に示すようにデータ通信装置に無線装置の無線親局を有線接続（又は内蔵）し、複数の画像形成装置にそれぞれ無線装置の無線子局を有線接続（又は内蔵）する場合、データ通信装置が画像形成装置へ遠隔管理用データを送信する場合には、まず、そのデータを送りたい画像形成装置に有線接続されている無線子局と無線親局との間で無線通信回線を形成しなければならない。
【００１４】
すなわち、無線親局が空きチャネル情報および通信相手先の画像形成装置が有線接続されている無線子局のＩＤを含む無線通信回線接続要求情報を無線子局へ送信し、ＩＤの一致する無線子局が無線通信回線接続応答情報を返すという手順をふまなければならない。
【００１５】
よって、このような無線通信方式を用いた画像形成装置遠隔管理システムにおいては、無線装置の無線親局あるいはそれを有線接続しているデータ通信装置が、画像形成装置の識別番号とその画像形成装置に有線接続されている無線子局のＩＤをセットで記憶していなければならず、不都合が多かった。
【００１６】
例えば、画像形成装置，データ通信装置，および無線装置の出荷時に、その無線装置の無線親局に画像形成装置の識別番号と無線子局のＩＤを記憶させると、その後の保管や販売において、これらに食い違いが発生しないように管理しなければならなかった。
【００１７】
あるいは、画像形成装置，データ通信装置，および無線装置の設置時に、その無線装置の無線親局に画像形成装置の識別番号と無線子局のＩＤを記憶させるようにした場合、無線子局のＩＤを読み出す手段とそれを無線親局またはデータ通信装置に書き込む手段が必要になり、そのためのツールが必要となるため、コストが高くなる上、無線子局のＩＤと画像形成装置の識別番号の組み合わせを間違えないように登録（記憶）するための操作（登録操作）が複雑であった。
【００１８】
この発明は上記の問題点に鑑みてなされたものであり、上述したような遠隔管理システムにおいて、無線親局あるいはそれに接続されるデータ通信装置の記憶内容の管理を軽減すること、その無線親局あるいはデータ通信装置に対する登録操作を容易にすること、およびその登録操作のためのコストを低減することを目的とする。
【００１９】
【課題を解決するための手段】
この発明は、中央制御装置によりデータ通信装置を介して被遠隔管理装置を遠隔管理する遠隔管理システムにおいて、上記の目的を達成するため、次のようにしたことを特徴とする。
【００２０】
請求項１の発明は、上記データ通信装置と上記被遠隔管理装置との間を無線化するために、該データ通信装置に接続される無線親局と、上記被遠隔管理装置に接続される無線子局とを設け、上記データ通信装置に、上記被遠隔管理装置を識別する識別情報が予め記憶されているメモリと、該識別情報を上記無線親局へ出力する手段とを設け、上記無線親局に、上記識別情報を接続要求情報に付加して上記無線子局へ無線送信する手段を設け、上記無線子局に、自局に接続されている被遠隔管理装置の識別情報を取得する識別情報取得手段と、上記無線親局から上記接続要求情報を受信したとき、該接続要求情報に付加されている識別情報と上記識別情報取得手段によって取得した識別情報とを比較して両識別情報が一致するか否かを判断する手段と、該手段によって両識別情報が一致すると判断した場合に接続応答情報を上記無線親局へ無線送信する手段とを設けたものである。
【００２１】
請求項２の発明は、請求項１の遠隔管理システムにおいて、上記被遠隔管理装置が、上記データ通信装置と接続可能なシリアル通信インタフェースを有し、上記無線子局に、上記シリアル通信インタフェースと同等のシリアル通信インタフェースと、自局に接続される被遠隔管理装置の識別情報を入力する入力手段とを設け、上記無線子局の識別情報取得処理手段に、上記入力手段によって入力された識別情報を含むセレクティング信号を上記各シリアル通信インタフェースを介して当該無線子局に接続されている被遠隔管理装置へ出力する手段と、該手段によって出力したセレクティング信号に対して所定の応答情報を受信したとき、上記入力手段によって入力された識別情報を記憶することにより、当該無線子局に接続されている被遠隔管理装置の識別情報を取得する手段とを備えたものである。
【００２２】
請求項３の発明において、請求項１の遠隔管理システムにおいて、上記被遠隔管理装置が、上記データ通信装置と接続可能なシリアル通信インタフェースを有し、上記無線子局に、上記シリアル通信インタフェースと同等のシリアル通信インタフェースを設け、上記無線子局の識別情報取得処理手段に、当該無線子局に接続されている被遠隔管理装置に設定可能な複数の異なる識別情報を１つずつ含む複数のセレクティング信号を順次上記各シリアル通信インタフェースを介して該被遠隔管理装置へ出力するセレクティング信号出力手段と、該手段によって出力したいずれかのセレクティング信号に対して所定の応答情報を受信したとき、そのセレクティング信号に含めた識別情報を記憶することにより、当該無線子局に接続されている被遠隔管理装置の識別情報を取得する手段とを備えたものである。
【００２３】
請求項４の発明は、請求項３の遠隔管理システムにおいて、上記無線子局に、上記セレクティング信号出力手段によって出力したいずれのセレクティング信号に対しても所定の応答情報を受信しなかったとき、その旨を表示する手段を設けたものである。
【００３２】
請求項１の発明による遠隔管理システムでは、データ通信装置が、メモリに予め記憶されている被遠隔管理装置を識別する識別情報を無線親局へ出力し、その無線親局が、その識別情報を接続要求情報に付加して無線子局へ無線送信し、その無線子局が、自局に接続されている被遠隔管理装置の識別情報を取得すると共に、上記無線親局から接続要求情報を受信したとき、該接続要求情報に付加されている識別情報と上記取得した識別情報とを比較して両識別情報が一致するか否かを判断し、両識別情報が一致した場合に接続応答情報を上記無線親局へ無線送信する。
【００３３】
このように、上記無線子局が、自局に接続されている被遠隔管理装置の識別情報を取得する手段を持ち、これを自局自身（無線子局）の識別情報と同等に使用することにより、上記無線親局あるいはそれに接続されているデータ通信装置は、上記被遠隔管理装置の識別情報を管理するだけで済むので、結果的に上記無線親局あるいはデータ通信装置の記憶内容の管理（製造工程や販売工程での管理）が容易になり、その管理を軽減することができる。
また、その無線親局あるいはデータ通信装置に対する登録操作を容易にでき、その登録操作のためのコストを低減することができる。
【００３４】
ここで、上記無線子局が自局に接続されている被遠隔管理装置の識別情報を取得するには、その被遠隔管理装置が自身の識別情報を上記無線子局へ出力するための特別なインタフェース（以下「Ｉ／Ｆ」ともいう）を備える必要がある。
ところで、後述する図１に示すような遠隔管理システムにおいては、データ通信装置が被遠隔管理装置（画像形成装置）の識別情報（識別番号等）を含むセレクティング信号を出力し、同一識別情報の被遠隔管理装置だけが所定の応答情報を返すことにより、通信を開始するようにしている。
【００３５】
請求項２の発明による遠隔管理システムでは、請求項１の発明による遠隔管理システムにおいて、上記無線子局が接続されている被遠隔管理装置が、上記データ通信装置と接続可能なシリアル通信インタフェースを有し、上記無線子局に、上記シリアル通信インタフェースと同等のシリアル通信インタフェースと、自局に接続される被遠隔管理装置の識別情報を入力する入力手段とを設け、上記無線子局が、上記入力手段によって入力された識別情報を含むセレクティング信号を上記各シリアル通信インタフェースを介して自局に接続されている被遠隔管理装置へ出力し、そのセレクティング信号に対して所定の応答情報を受信したとき、上記入力手段によって入力された識別情報を記憶することにより、自局に接続されている被遠隔管理装置の識別情報を取得する。
【００３６】
このように、上記無線子局が、上記データ通信装置と同様のセレクティング機能を持つことにより、上記被遠隔管理装置が自身の識別情報を無線子局へ出力するための特別なＩ／Ｆを持たなくて済む。
また、上記データ通信装置に接続されていた被遠隔管理装置を改良したり交換したりしなくても、そのデータ通信装置と上記被遠隔管理装置との間（通信回線）を無線化することができる。
したがって、一層のコスト低減を図ることができる。
【００３７】
請求項３の発明による遠隔管理システムでは、請求項１の遠隔管理システムにおいて、上記無線子局に接続されている被遠隔管理装置が、上記データ通信装置と接続可能なシリアル通信インタフェースを有し、上記無線子局が、自局を１つずつ含む複数のセレクティング信号を順次上記各シリアル通信インタフェースを介して該被遠隔管理装置へ出力し、そのいずれかのセレクティング信号に対して所定の応答情報を受信したとき、そのセレクティング信号に含めた識別情報を記憶することにより、自局に接続されている被遠隔管理装置の識別情報を取得するので、上記無線子局に接続される被遠隔管理装置の識別情報を予め入力手段によって入力しておく必要がなく、その分だけ上記無線子局に上記被遠隔管理装置の識別情報を取得させるための操作が容易になる。
【００３８】
請求項４の発明による遠隔管理システムでは、請求項３の遠隔管理システムにおいて、上記無線子局が、出力したいずれのセレクティング信号に対しても所定の応答情報を受信しなかったとき、その旨を表示するので、その旨を上記被遠隔管理装置等の設置者（サービスマン）に知らせることができる。
【００３９】
例えば、上記無線子局と上記被遠隔管理装置との接続が正しくないと、その無線子局が被遠隔管理装置の識別情報を正しく取得することができないが、上記表示によって設置者はそのことを認識することが可能になるため、設置者の作業負担が軽減される。
【００６４】
【発明の実施の形態】
まず、この発明の実施形態を説明する前に、この発明の基礎となる遠隔管理システムを図面に基づいて具体的に説明する。
図２はこの発明の基礎となる遠隔管理システムとしての画像形成装置管理システムの構成例を示すブロック図であり、図３２と対応する部分には同一符号を伏している。
【００６５】
この画像形成装置管理システムは、遠隔診断を前提とした被遠隔管理装置としての５台の画像形成装置（複写装置等）１〜５と有線通信回線を介して接続されたデータ通信装置７と、データ通信装置７と公衆回線８を介して接続された中央制御装置６とを備え、中央制御装置６が、公衆回線８，データ通信装置７，および有線通信回線を介して各画像形成装置１〜５を集中的に遠隔管理できるようにしたものである。
【００６６】
データ通信装置７は、公衆回線８に接続され、中央制御装置６からの指令信号を画像形成装置１〜５へ選択的に送信したり、逆に画像形成装置１〜５からの各種通報を公衆回線８を経由して中央制御装置６へ送信する。
【００６７】
このデータ通信装置７は、２４時間通電を行なっていて、通常画像形成装置１〜５の電源がオフになっている夜間でも、中央制御装置６との通信を可能にしている。このデータ通信装置７と各画像形成装置１〜５とは、シリアル通信インタフェースＲＳ−４８５（有線通信回線）によりマルチドロップ接続されていて、データ通信装置７からのポーリング，セレクティングにより各画像形成装置１〜５との通信を行なっている。
【００６８】
図３は、各画像形成装置１〜５の制御部の構成例を示すブロック図である。
各画像形成装置１〜５の制御部はそれぞれ、ＣＰＵ１１，リアルタイムクロック回路１２，ＲＯＭ１３，ＲＡＭ１４，不揮発性ＲＡＭ１５，入出力ポート１６，およびシリアル通信制御ユニット１７ａ，１７ｂ，１７ｃからなるＰＰＣ（複写装置）コントローラと、パーソナルインタフェース（以下「インタフェース」を「Ｉ／Ｆ」ともいう）１８と、システムバス１９とを備えている。
【００６９】
ＣＰＵ１１は、ＲＯＭ１３内の制御プログラムによってこの制御部全体を統括的に制御する中央処理装置である。
リアルタイムクロック回路１２は、時刻情報を発生するものであり、ＣＰＵ１１がそれを読み込むことによって現在の時刻を知ることができる。
ＲＯＭ１３は、ＣＰＵ１１が使用する制御プログラムを含む各種固定データを格納している読み出し専用メモリである。
【００７０】
ＲＡＭ１４は、ＣＰＵ１１がデータ処理を行なう際に使用するワークメモリ等として使用する一時記憶用メモリである。
不揮発性ＲＡＭ１５は、後述する図５に示す操作表示部等からのモード指示の内容などを記憶するメモリであり、画像形成装置の電源がオフになっても記憶内容を保持するようになっている。
入出力ポート１６は、画像形成装置内のモータ，ソレノイド，クラッチ等の出力負荷やセンサ・スイッチ類を接続している。
【００７１】
シリアル通信制御ユニット１７ａは、図５に示す操作表示部との信号のやりとりを行なっている。
シリアル通信制御ユニット１７ｂは、図示しない原稿送り部との信号のやりとりを行なっている。
シリアル通信制御ユニット１７ｃは、図示しない転写紙後処理部との信号のやりとりを行なっている。
【００７２】
パーソナルＩ／Ｆ１８は、データ通信装置７との間の通信を司るインタフェース回路であり、ＣＰＵ１１のデータ通信装置７との通信処理のための負荷を軽減するために設けられている。もちろん、ＣＰＵ１１の処理能力が充分であれば、このパーソナルＩ／Ｆ１８の機能をＣＰＵ１１に取り込んでも差し支えない。
このパーソナルＩ／Ｆ１８の主な機能は、以下の（１）〜（４）に示す通りである。
【００７３】
（１）データ通信装置７からのポーリング，セレクティングの監視
（２）データ通信装置７への肯定応答，否定応答処理
（３）データ通信装置７との間の送受信データの正当性のチェック，パリティチェック，およびエラー発生時の再送要求処理
（４）データ通信装置７との間の送受信データのヘッダ処理
【００７４】
システムバス１９はアドレスバス，コントロールバス，データバスからなるバスラインであり、ＣＰＵ１１，リアルタイムクロック回路１２，ＲＯＭ１３，ＲＡＭ１４，不揮発性ＲＡＭ１５，入出力ポート１６，シリアル通信制御ユニット１７ａ，１７ｂ，１７ｃ，およびパーソナルＩ／Ｆ１８を相互に接続する。
【００７５】
図４は、図３のパーソナルＩ／Ｆ１８の構成例を示すブロック図である。
このパーソナルＩ／Ｆ１８は、ＣＰＵ２１，デュアルポートメモリ２２，レジスタ２３〜２６，入力ポート２７，シリアル通信制御ユニット２８，ローカルバス２９，およびデバイスコード設定スイッチ３０によって構成されている。
【００７６】
ＣＰＵ２１は、中央処理装置，ＲＯＭ，ＲＡＭ，およびそれらを接続するバス等からなるワンチップのマイクロコンピュータであり、このパーソナルＩ／Ｆ１８全体を統括的に制御する。
デュアルポートメモリ２２は、ＣＰＵ２１と図３のＣＰＵ１１の双方から読み書き可能であり、パーソナルＩ／Ｆ１８とＰＰＣコントローラ３１との間でのテキストデータの授受に使用されるデータメモリである。
【００７７】
なお、ＰＰＣコントローラ３１は上述したＣＰＵ１１，リアルタイムクロック回路１２，ＲＯＭ１３，ＲＡＭ１４，不揮発性ＲＡＭ１５，入出力ポート１６，およびシリアル通信制御ユニット１７ａ，１７ｂ，１７ｃによって構成される。レジスタ２３〜２６は、上記テキストデータの授受時に制御用として使用されるが、詳細な説明は省略する。
【００７８】
デバイスコード設定スイッチ３０は、画像形成装置毎に固有のデバイスコード（識別番号）を設定するためのものであり、データ通信装置７からのポーリング，セレクティング時のデバイスコード識別用として使用される。
シリアル通信制御ユニット２８は、データ通信装置７および／または他の画像形成装置のパーソナルＩ／Ｆ１８と接続される。
【００７９】
図５は、各画像形成装置１〜５の操作表示部の構成例を示すレイアウト図である。なお、この操作表示部は、各画像形成装置１〜５が複写装置の場合に対応するものである。
【００８０】
この操作表示部は、一般の制御部（例えば図３に示した各画像形成装置１〜５における制御部）と同様に、制御プログラムを格納したＲＯＭ，その制御プログラムによって各種制御を実行するＣＰＵ，データを一時格納するＲＡＭ，電池によりバックアップされた不揮発性ＲＡＭ，シリアル通信制御ユニット，および入出力ポート等を備えており、図３のシリアル通信制御ユニット１７ａとデータ授受を行なうが、その詳細は省略する。
【００８１】
この操作表示部は、上述した制御部の他に、テンキー７１，クリア／ストップキー７２，プリントキー７３，エンタキー７４，割り込みキー７５，予熱／モードクリアキー７６，モード確認キー７７，画面切り替えキー７８，呼び出しキー７９，登録キー８０，ガイダンスキー８１，表示用コントラストボリューム８２，および文字表示器８３を備えている。
【００８２】
テンキー７１は、コピー（画像形成）枚数や倍率等の数値を入力するためのキーである。
クリア／ストップキー７２は、置数（コピー枚数）をクリアしたり、コピー動作をストップさせたりするためのキーである。
プリントキー７３は、プリント動作を含むコピー動作を実行開始させるためのキーである。
【００８３】
エンタキー７４は、ズーム倍率や綴じ代寸法用置数等の数値の指定を確定させるためのキーである。
割り込みキー７５は、コピー中に割り込んで別の原稿をコピーする時などに使用するキーである。
予熱／モードクリアキー７６は、設定した全てのコピーモードの内容を取り消したり、予熱を設定して節電状態にしたりするためのキーである。
【００８４】
モード確認キー７７は、文字表示器８３に選択的に表示される各コピーモードを一覧表示で確認するためのキーである。
画面切り替えキー７８は、文字表示器８３の表示形態を使用者の熟練度に応じて切り替えるためのキーである。
呼び出しキー７９は、ユーザプログラムを呼び出すためのキーである。
【００８５】
登録キー８０は、ユーザプログラムを登録するためのキーである。
ガイダンスキー８１は、文字表示器８３にガイダンスメッセージ等を表示するためのキーである。
表示用コントラストボリューム８２は、文字表示器８３のコントラストを調整するためのものである。
【００８６】
文字表示器８３は、液晶（ＬＣＤ），蛍光表示管等のフルドット表示素子を用い、その上に多数のタッチセンサを内蔵（例えば８×８表示画素毎にある）した略透明なシート状のマトリックスタッチパネルを重ねており、電源投入により、例えば図６に示すような画像形成装置の状態（「コピーできます」「コピー中です」「転写紙がありません」等），コピー枚数，各種キーを示す通常のコピーモード画面を表示する。
【００８７】
ここで、その画面上のキー（表示部）を押下（タッチ）することにより、給紙段（用紙サイズ），自動用紙（原稿サイズと設定倍率により最適な転写紙が収納されている給紙段が自動選択される），画像濃度（コピー濃度），自動濃度（原稿の濃度に応じて画像濃度が自動選択される），変倍率（等倍，縮小，拡大，用紙指定変倍，ズーム変倍，寸法変倍），両面モード，綴じ代モード，ソートモード等のコピー動作に関わる各種のコピーモードを任意に選択することができ、押下されたキーは白黒反転表示に切り替わる。
【００８８】
図７は、図２のデータ通信装置７の一例を示すブロック構成図である。
このデータ通信装置７は、ＣＰＵ４１，ＲＯＭ４２，ＲＡＭ４３，不揮発性ＲＡＭ４４，リアルクロック回路（以下「ＲＴＣ」という）４５，画像形成装置Ｉ／Ｆ４６，網制御装置（以下「ＮＣＵ」という）４７，モデム４８，およびＬＥＤ表示部４９からなる。
【００８９】
ＣＰＵ４１は、ＲＯＭ４２内の制御プログラムによって次のような制御を行なう。つまり、５台の画像形成装置１〜５を制御したり、公衆回線８経由で中央制御装置６に対する指令信号の送受信を制御したり、画像形成装置１〜５からの各種通報により、公衆回線８経由で中央制御装置６に対して発呼を行なったり、公衆回線８を画像形成装置１〜５側に接続するか、一般電話機（ＴＥＬ）又はファクシミリ装置（ＦＡＸ）側に接続するかの切り替え制御を行なうなど、このデータ通信装置７全体を統括的に制御する中央処理装置である。
【００９０】
ＲＯＭ４２は、ＣＰＵ４１が使用する制御プログラムを含む各種固定データを格納している読み出し専用メモリである。
ＲＡＭ４３は、ＣＰＵ４１がデータ処理を行なう際に使用するワークメモリ等として使用する一時記憶用メモリである。
【００９１】
不揮発性ＲＡＭ４４は、中央制御装置６および複数の画像形成装置１〜５の一方から他方への送信データや、複数の画像形成装置１〜５の中から１台を特定するそれぞれのデバイスコード（識別番号）およびＩＤコード，中央制御装置６の電話番号，回線接続が成功しなかった場合の再発呼回数（リトライ回数），再発呼間隔などを記憶するメモリであり、電池によってバックアップされている。
【００９２】
ＲＴＣ４５は、時刻情報を発生するものであり、ＣＰＵ４１がそれを読み込むことによって現在の時刻を知ることができる。
画像形成装置Ｉ／Ｆ４６は、画像形成装置１〜５との間のシリアル通信を司るインタフェース回路である。
ＮＣＵ４７は、データ通信装置７を公衆回線８に通信可能に接続するためのものであり、自動発着信機能を備えている。
【００９３】
モデム４８は、送受信するデータを変復調する。
ＬＥＤ表示部４９は、データ通信装置７の電源入力状態やデータ通信装置７が公衆回線８に通信可能に接続されていない時などに、その旨を知らせるためのものである。
【００９４】
図８は、ＮＣＵ４７の構成例を示すブロック図である。
ＮＣＵ４７は、保護回路５１，ループ電流検出回路５２，リンギング検出回路５３，ライン切替回路５４，およびループ形成回路５５等からなる。
保護回路５１は、公衆回線８からのノイズから装置を保護するための回路である。
【００９５】
ループ電流検出回路５２は、ループ形成回路５５により形成される直流ループに流れる電流を検出するものであり、図示しない両方向性のフォトカプラ等からなる。
リンギング検出回路５３は、公衆回線８からのリンギングを検出するものである。
【００９６】
ライン切替回路５４は、公衆回線８を図７のモデム４８側に接続するか、外付けの一般電話機（ＴＥＬ）又はファクシミリ装置（ＦＡＸ）側に接続するかの切り替えを行なうものである。
ループ形成回路５５は、オフフックして公衆回線８をつかんだ（公衆回線８のラインＬ１，Ｌ２を直流的に閉結した）際に直流ループを形成し、公衆回線８とモデム信号の送受信を行なう。
【００９７】
次に、この画像形成装置管理システムの概略機能について説明する。
この画像形成装置管理システムの機能には、大きく分けて以下の（１）〜（３）に示す３種類の機能がある。
（１）中央制御装置６から画像形成装置１〜５への通信制御
（２）画像形成装置１〜５から中央制御装置６又はデータ通信装置７への通信制御
（３）データ通信装置７独自の制御
【００９８】
（１）の中央制御装置６から画像形成装置１〜５への通信制御には、例えば以下の（ａ）〜（ｃ）に示すものがある。
（ａ）特定の画像形成装置のトータル画像形成枚数（積算画像形成枚数），給紙段（給紙トレイ）毎の画像形成枚数，転写紙サイズ毎の画像形成枚数，ミスフィード回数，転写紙サイズ毎のミスフィード回数，転写紙搬送位置毎のミスフィード回数等の読み取りおよびリセット
【００９９】
（ｂ）画像形成装置を構成する各ユニットの制御電圧，電流，抵抗，タイミング等の調整値の設定および読み取り
（ｃ）（２）の通信制御による画像形成装置１〜５から中央制御装置６への通信制御に対する結果返送
【０１００】
これらの制御は、中央制御装置６からの指令信号を受信して、データ通信装置７から画像形成装置１〜５へのセレクティングによって行なう。セレクティングとは、接続されている５台の画像形成装置１〜５の中から１台を選択して通信する機能をさす。
【０１０１】
図９は、データ通信装置７におけるセレクティング動作の一例を示すフローチャートである。
各画像形成装置１〜５はそれぞれユニークな（特定の）デバイスコードを持っており、データ通信装置７は予め定められたセレクティング機能を示す特定コード（又はコードの組み合わせ）と選択すべき画像形成装置のデバイスコードとをシリアル通信インタフェースＲＳ−４８５上に送出する。
【０１０２】
各画像形成装置１〜５はそれぞれ、セレクティング機能を示す特定コード（又はコードの組み合わせ）により、次に続くデバイスコードと自己のデバイスコードとを比較し、両コードが一致した時に自分がセレクティングされたことを知る。
ここで、セレクティングされた画像形成装置は、送出すべきデータがある場合には、予め定められた特定コード（又はコードの組み合わせ）によるビジー（ｂｕｓｙ）応答を出力する。
【０１０３】
データ通信装置７は、このビジー応答を受けると、セレクティング動作を中断し、以下に述べるポーリング動作に移行する。
セレクティングされた画像形成装置は、送出すべきデータがない場合には、セレクティングに対応可能か否かを判断し、対応可能ならば予め定められた特定コード（又はコードの組み合わせ）による肯定応答を出力してデータ通信装置７との通信を実行する。
【０１０４】
対応不可能の場合は、予め定められた特定コード（又はコードの組み合わせ）による否定応答を出力してデータ通信装置７との通信を終了する。
また、データ通信装置７が出力したデバイスコードに対応する画像形成装置が電源ＯＦＦなどの理由で肯定応答も否定応答も出力できない場合には、データ通信装置７は予め定められた一定時間経過後にセレクティング動作を終了する。
【０１０５】
（２）の画像形成装置１〜５から中央制御装置６又はデータ通信装置７への通信制御には、例えば以下の（ａ）〜（ｅ）に示すものがある。
（ａ）各画像形成装置１〜５はそれぞれ、画像形成動作が不可能となる故障等の異常が発生した場合に、その旨を示すデータ（通報要因）を即時にデータ通信装置７および公衆回線８を介して中央制御装置６へ通報する（緊急通報）。
【０１０６】
（ｂ）各画像形成装置１〜５はそれぞれ、使用者（顧客）による操作表示部上のキー操作により、画像形成モードからそれとは異なる使用者が必要な要求（修理依頼やサプライ補給依頼）を入力するための使用者要求入力モードに移行し、操作表示部の文字表示器８３に使用者要求入力画面が表示され、その画面上の所定キーの押下によって使用者が必要な要求が入力された場合に、その旨を示すデータを即時にデータ通信装置７および公衆回線８を介して中央制御装置６へ通報する（緊急通報）。
【０１０７】
（ｃ）各画像形成装置１〜５はそれぞれ、積算画像形成枚数が予め設定された一定枚数（通報レベル値）に達した場合に、その旨を示すデータを即時にデータ通信装置７および公衆回線８を介して中央制御装置６へ通報する（緊急通報）。
【０１０８】
（ｄ）各画像形成装置１〜５はそれぞれ、予め設定された一定期間毎に積算画像形成枚数を示すデータをデータ通信装置７へ通報し、そのデータ通信装置７はその日（当日）の指定時刻（これは中央制御装置６により設定され、データ通信装置７に記憶しておく）にそれまでに受信したデータをまとめて通信回線８を介して中央制御装置６へ通報する（非緊急通報）。この通信制御には、指定時刻に達する前にそれまでに受信したデータの通報回数が予め定められた回数に達した場合、その指定時刻を待たずに中央制御装置６への送信を行なう制御も含まれる。
【０１０９】
（ｅ）各画像形成装置１〜５はそれぞれ、画像形成動作開始は可能であるが、交換部品の指定回数，指定時間への接近、センサの規格レベルへの到達など、予防保全を必要とする事象が発生した時にその旨を示すデータをデータ通信装置７へ通報し、そのデータ通信装置７はその日の指定時刻（これは中央制御装置６により設定され、データ通信装置７に記憶しておく）にそれまでに受信したデータをまとめて公衆回線８を介して中央制御装置６へ通報する（非緊急通報）。この通信制御には、指定時刻に達する前にそれまでに受信したデータの通報回数が予め定められた回数に達した場合、その指定時刻を待たずに中央制御装置６への送信を行なう制御も含まれる。
【０１１０】
これらの通信制御は、データ通信装置７からのポーリング時に行なう。ポーリングとは、接続されている５台の画像形成装置１〜５を順番に指定し、その指定された画像形成装置からの通信要求の有無を確認する機能をさす。
図１０は、データ通信装置７におけるポーリング動作の一例を示すフローチャートである。
【０１１１】
データ通信装置７は、予め定められたポーリング機能を示す特定コード（又はコードの組み合わせ）と選択すべき画像形成装置のデバイスコード（識別番号）とをシリアル通信インタフェースＲＳ−４８５上に送出する。
各画像形成装置１〜５はそれぞれ、ポーリング機能を示す特定コード（又はコードの組み合わせ）により、次に続くデバイスコードと自己のデバイスコードとを比較し、両コードが一致した時に自分がポーリングされたことを知る。
【０１１２】
次に、ポーリングされた画像形成装置は、送出データ（データ通信装置７又は中央制御装置６に対する通信要求）があればデータ通信装置７との通信を開始し、通信要求がない時又は開始した通信が終了した時は予め定められた特定コード（又はコードの組み合わせ）による終了応答を出力してデータ通信装置７との通信を終了する。
データ通信装置７は、終了応答を受け取ると、次の画像形成装置へのポーリングに移行する。
【０１１３】
また、データ通信装置７が出力するデバイスコードに対応する画像形成装置が、電源ＯＦＦなどの理由で通信を開始できなかったり、あるいは終了応答も出力できない場合、データ通信装置７は予め定められた一定時間経過後にポーリング動作を終了する。このポーリングは、セレクティングが発生しない限り、接続されている画像形成装置１〜５に対して順次繰り返される。
【０１１４】
（３）のデータ通信装置７独自の制御には、例えば以下の（ａ）（ｂ）に示すものがある。
（ａ）トータルカウンタ値（積算画像形成枚数）の読み出し
（ｂ）（２）の画像形成装置１〜５から中央制御装置６への通信制御に対する結果返送
【０１１５】
トータルカウンタ値の読み出しの制御は、データ通信装置７から画像形成装置１〜５への１日１回定時（０時０分、但しこの時刻に画像形成装置の電源がＯＦＦになっている場合は、この時刻以降に初めて電源がＯＮになった時）のセレクティングによって行なう。
【０１１６】
データ通信装置７は、接続されている画像形成装置毎にトータルカウンタ用のメモリを２個（仮にこれらをそれぞれＡ，Ｂとする）用意してあり、上記１日１回のセレクティングによって読み取ったトータルカウンタ値をメモリＡに書き込む。したがって、メモリＡは毎日（但し例えば休日のように１日中画像形成装置の電源がＯＮ状態にならない場合はこの限りでない）前日の値が書き換えられることになる。
【０１１７】
また、毎月１回予め決められた日時（これは中央制御装置６により設定され、データ通信装置７内の不揮発性ＲＡＭ４４に記憶される）にメモリＡに記憶されているトータルカウンタ値をメモリＢにコピーする。
データ通信装置７から中央制御装置６へはメモリＢの内容が送られるが、その転送方法には以下の（ａ）（ｂ）に示す２通りの方法がある。
【０１１８】
（ａ）中央制御装置６は、上記日時（メモリＡの内容がメモリＢにコピーされる日時）以降にデータ通信装置７のメモリＢに記憶されたトータルカウンタ値を読みに行く。
（ｂ）データ通信装置７は、上記日時以降に自発呼してメモリＢに記憶されたトータルカウンタ値を公衆回線８を介して中央制御装置６へ送出する。なお、自発呼を行なう日時も中央制御装置６により設定され、データ通信装置７内の不揮発性ＲＡＭ４４に記憶される。
【０１１９】
なお、データ通信装置７は、接続されている画像形成装置毎にメモリＡ，Ｂを組み合わせたメモリを複数組用意している。これは、例えば白黒コピー用，アプリケーションコピー用，カラーコピー用等の種々のトータルカウンタ値が考えられるためである。
【０１２０】
次に、この発明の一実施形態を図１，図１１〜図１８以降の各図面に基づいて具体的に説明する。
図１および図１１はこの発明の一実施形態である画像形成装置管理システムの異なる構成例を示すブロック図であり、前述した図２を含む各図面と一致する部分には同一符号を付してそれらの説明を省略する。
【０１２１】
図１および図１１に示す各画像形成装置管理システムではそれぞれ、データ通信装置７と各画像形成装置１〜５との間の有線通信回線（有線部分）を無線化する無線装置を設けている。つまり、データ通信装置７と各画像形成装置１〜５との間に無線装置を介挿している。
【０１２２】
そして、図１の画像形成装置管理システムでは、無線装置を、データ通信装置７に有線接続される（内蔵されてもよい）無線親局１００と、各画像形成装置（被遠隔管理装置）１〜５にそれぞれ有線接続される（内蔵されてもよい）無線子局１０１〜１０５とによって構成している。
【０１２３】
ここで、各画像形成装置１〜５はそれぞれ、図３，図４，図７に示したように、データ通信装置７の画像形成装置Ｉ／Ｆ４６と有線接続可能なシリアル通信制御ユニット２８（シリアル通信インタフェースＲＳ−４８５）を有するパーソナルＩ／Ｆ１８を備えている。
【０１２４】
そのため、データ通信装置７と各画像形成装置１〜５との間への無線装置の介挿を容易にするために、無線親局１００に、データ通信装置７の画像形成装置Ｉ／Ｆ４６と有線接続可能なシリアル通信インタフェースＲＳ−４８５を設けることは勿論、各無線子局１０１〜１０５にそれぞれ、シリアル通信制御ユニット２８と同等のシリアル通信インタフェースＲＳ−４８５を設けている。
【０１２５】
一方、図１１の画像形成装置管理システムでは、無線装置を、データ通信装置７に有線接続される（内蔵されてもよい）無線親局１００と、画像形成装置１，３にそれぞれ有線接続される（内蔵されてもよい）無線子局１０１，１０３とによって構成している。
【０１２６】
ここで、データ通信装置７と各画像形成装置１〜５との間への無線装置の介挿を容易にするために、無線親局１００に、データ通信装置７の画像形成装置Ｉ／Ｆ４６と有線接続可能なシリアル通信インタフェースＲＳ−４８５を設けるのは勿論、各無線子局１０１，１０３にそれぞれ、シリアル通信制御ユニット２８と同等のシリアル通信インタフェースＲＳ−４８５を設けている。
【０１２７】
図１２は、図１および図１１の無線親局１００の構成例を示すブロック図である。
無線親局１００は、アンテナ１１１，無線送信部１１２，無線受信部１１３，制御部１１４，ＲＳ４８５ドライバ１１５，不揮発性メモリ１１６，スイッチ部１１７，およびＬＥＤ表示部１１８等からなる。
【０１２８】
無線送信部１１２は、制御部１１４より入力される送信データを無線信号に変換してアンテナ１１１へ出力する。つまり、所定の周波数の信号を制御部１１４より入力される送信データにより変調し、無線信号としてアンテナ１１１へ出力する。
【０１２９】
無線受信部１１３は、アンテナ１１１より入力される無線信号を受信データに変換して制御部１１４へ出力する。つまり、アンテナ１１１より入力される無線信号の所定の周波数帯について復調し、受信データとして制御部１１４へ出力する。また、所定の周波数の強度を制御部１１４へ提供する。
【０１３０】
制御部１１４は、無線送信部１１２，無線受信部１１３，ＲＳ４８５ドライバ１１５，不揮発性メモリ１１６，スイッチ部１１７，およびＬＥＤ表示部１１８の制御を行なう。
ＲＳ４８５ドライバ１１５は、シリアル通信インタフェースＲＳ−４８５の制御を行なう。
【０１３１】
不揮発性メモリ１１６は、無線装置の呼出名称，メーカコードなど、無線通信に必要な情報を記憶する。
ここで、呼出名称は、個々の無線局に固有に与えられる数字によるコードであり、製造時に書き込まれる。メーカコードは、製造メーカ等を識別するためのコードであり、製造時などに書き込まれる。
【０１３２】
スイッチ部１１７は、動作モードの設定などを行なう際に使用するスイッチにより構成される。
ＬＥＤ表示部１１８は、無線親局１００の動作状態、つまり図１の無線子局１０１〜１０５（又は図１１の無線子局１０１，１０３）との通信状態などを表示する。
【０１３３】
ここで、無線親局１００は、上述の構成により、通信相手先となる画像形成装置（画像形成装置１〜５のいずれか）の識別情報（識別番号）を無線通信回線接続要求情報に付加して無線子局（無線子局１０１〜１０５のいずれか）へ無線送信する手段としての機能を果たす。
【０１３４】
なお、無線親局１００の機能をデータ通信装置７に内蔵することもできる。この場合、データ通信装置７のＣＰＵ４１，ＲＯＭ４２等からなる制御部が無線親局１００の制御部１１４の機能を、データ通信装置７のＬＥＤ表示部４９が無線親局１００のＬＥＤ表示部１１８の機能を、データ通信装置７の不揮発性ＲＡＭ４４が無線親局１００の不揮発性メモリ１１６の機能を果すようにすればよい。
【０１３５】
図１３は、図１の無線子局１０１〜１０５（図１１の無線子局１０１，１０３を含む）の構成例を示すブロック図である。
無線子局１０１〜１０５はそれぞれ、無線親局１００と同様に、アンテナ１２１，無線送信部１２２，無線受信部１２３，制御部１２４，ＲＳ４８５ドライバ１２５，不揮発性メモリ１２６，スイッチ部１２７，およびＬＥＤ表示部１２８等からなる。
【０１３６】
無線送信部１２２は、制御部１２４より入力される送信データを無線信号に変換してアンテナ１２１へ出力する。つまり、所定の周波数の信号を制御部１２４より入力される送信データにより変調し、無線信号としてアンテナ１２１へ出力する。
【０１３７】
無線受信部１２３は、アンテナ１２１より入力される無線信号を受信データに変換して制御部１２４へ出力する。つまり、アンテナ１２１より入力される無線信号の所定の周波数帯について復調し、受信データとして制御部１２４へ出力する。また、所定の周波数の強度を制御部１２４へ提供する。
【０１３８】
制御部１２４は、無線送信部１２２，無線受信部１２３，ＲＳ４８５ドライバ１２５，不揮発性メモリ１２６，スイッチ部１２７，およびＬＥＤ表示部１２８の制御を行なう。
ＲＳ４８５ドライバ１２５は、シリアル通信インタフェースＲＳ−４８５の制御を行なう。
【０１３９】
不揮発性メモリ１２６は、無線装置の呼出名称，メーカコード，取得した画像形成装置（この不揮発性メモリ１２６を有する無線子局に実際に接続されている画像形成装置）の識別番号（デバイスコード）など、無線通信に必要な情報を記憶する。
【０１４０】
ここで、呼出名称は、個々の無線局に固有に与えられる数字によるコードであり、製造時に書き込まれる。メーカコードは、製造メーカ等を識別するためのコードであり、製造時などに書き込まれる。この不揮発性メモリ１２６を有する無線子局を有線接続している画像形成装置の識別番号は、後述する処理により、その画像形成装置から取得（入手）する。
【０１４１】
スイッチ部１２７は、これを有する無線子局の動作モードの設定や、その無線子局に有線接続される画像形成装置の識別番号の入力などを行なう際に使用するスイッチにより構成される。
したがって、スイッチ部１２７が、それを有する無線子局に有線接続される（有線接続可能な）画像形成装置のデバイス番号を入力する入力手段としての機能を果たす。
【０１４２】
ＬＥＤ表示部１２８は、それを有する無線子局の動作状態、および画像形成装置のデバイスコード（識別番号）の取得結果などを表示する。
ここで、各無線子局１０１〜１０５はそれぞれ、上述の構成により、自局を有線接続している画像形成装置の識別情報（識別番号）を取得する識別情報取得手段としての機能を果たす。
【０１４３】
具体的には、スイッチ部１２７（入力手段）によって入力された識別情報を含むセレクティング信号を上記各シリアル通信インタフェースを介して自局を有線接続している画像形成装置へ出力する手段としての機能、およびそれによって出力したセレクティング信号に対して所定の応答情報を受信したとき、スイッチ部１２７によって入力された識別情報を記憶することにより、自局を有線接続している画像形成装置の識別情報を取得する手段（第１の識別情報取得手段とする）としての機能を果たす。
【０１４４】
あるいは、自局を有線接続している画像形成装置に設定可能な複数の異なる識別情報を１つずつ含む複数のセレクティング信号を順次上記各シリアル通信インタフェースを介して該画像形成装置へ出力するセレクティング信号出力手段としての機能、およびそれによって出力したいずれかのセレクティング信号に対して所定の応答情報を受信したとき、そのセレクティング信号に含めた識別情報を記憶することにより、自局を有線接続している画像形成装置の識別情報を取得する手段（第２の識別情報取得手段とする）としての機能を果たす。
【０１４５】
また、各無線子局１０１〜１０５はそれぞれ、上述の構成により、無線親局１００から無線通信回線接続要求情報を受信したとき、該情報に付加されている識別情報と上記識別情報取得手段としての機能によって取得した識別情報とを比較して両識別情報が一致するか否かを判断する手段としての機能、それによって両識別情報が一致すると判断した場合に無線通信回線接続応答情報を無線親局１００へ無線送信する手段としての機能を果たす。
【０１４６】
さらに、各無線子局１０１〜１０５はそれぞれ、上述の構成により、第２の識別情報取得手段としての機能を果たす場合、セレクティング信号出力手段としての機能によって出力したいずれのセレクティング信号に対しても所定の応答情報を受信しなかったとき、その旨を表示する手段としての機能を果たす。
【０１４７】
なお、無線子局の機能を画像形成装置に内蔵することもできる。この場合、画像形成装置のＣＰＵ１１，ＲＯＭ１３等からなる制御部が無線子局の制御部１２４の機能を、画像形成装置の操作表示部が無線子局のＬＥＤ表示部１２８の機能を、画像形成装置の不揮発性ＲＡＭ１５が無線子局の不揮発性メモリ１２６の機能を果すようにすればよい。
【０１４８】
次に、図１の画像形成装置管理システムにおける無線親局１００および無線子局１０１〜１０５による無線通信回線接続動作を説明する。なお、図１１の画像形成装置管理システムにおける無線親局１００および無線子局１０１，１０３による無線通信回線接続動作は、上記無線通信回線接続動作と略同様なので、説明を省略する。
【０１４９】
データ通信装置７と画像形成装置１〜５との通信は、前述の通りデータ通信装置７が出力するポーリングコマンド（ポーリング信号）またはセレクティングコマンド（セレクティング信号）によって開始される。
【０１５０】
無線親局１００は、データ通信装置７に有線接続されているＩ／Ｆライン（シリアル通信インタフェースＲＳ−４８５）より順次入力（受信）されるデータを一時バッファリングしながら、ポーリングコマンドまたはセレクティングコマンドに一致するデータ（所定の制御データ）を検出する処理を行ない、そのデータ（ポーリング／セレクティング）を検出した時に、図１４に示す無線通信回線接続動作を開始する。
【０１５１】
図１４は、無線親局１００による無線通信回線接続動作の一例を示すフローチャートである。
無線親局１００は、無線通信回線接続動作を開始すると、まず無線通信に使用するデータ通信ＣＨ（チャネル）（従来の技術の項で説明したＲＣＲ−ＳＴＤ１７Ａでは１〜９ＣＨのいずれか）を選択し、その選択したデータ通信ＣＨをキャリアセンスする。
【０１５２】
ここで、キャリアセンスとは、選択したデータ通信ＣＨについて、そのＣＨを他の装置が使用しているか使用していないかを調べることをいい、例えば、そのＣＨの周波数に無線受信部１１３の受信周波数を同調させたときの無線電波の入力強度を調べ、その強度が所定のレベル以上ある時は、そのＣＨが使用中であると判断し、所定のレベルより低いときは空きＣＨであると判断する。
【０１５３】
選択したデータ通信ＣＨのキャリアセンスにより、そのデータ通信ＣＨが使用中であると判断した場合は、再びデータ通信ＣＨ（前回と異なるＣＨ）を選択し、その選択したデータ通信ＣＨをキャリアセンスする。
そして、今回選択したデータ通信ＣＨも使用中であると判断した場合には、再びデータ通信ＣＨの選択に戻って上述と同様の処理を繰り返し行ない、その処理を所定回数繰り返しても使用可能なデータ通信ＣＨ（空きＣＨ）を選択できなかった場合は、無線通信回線接続動作を終了する。
【０１５４】
選択したデータ通信ＣＨのキャリアセンスにより、そのデータ通信ＣＨが使用可能なＣＨ（空きＣＨ）であると判断した場合は、そのＣＨ情報およびデータ通信装置７から出力されたデータに含まれる通信相手先となる画像形成装置のデバイスコード（識別番号）を無線接続制御情報に付加し、次に無線受信部１１３の受信ＣＨ（受信周波数）を周波数制御ＣＨ（ＲＣＲ−ＳＴＤ１７Ａの場合は１０ＣＨ）にセットし、その周波数制御ＣＨをキャリアセンスする。
【０１５５】
周波数制御ＣＨのキャリアセンスにより、周波数制御ＣＨが使用中であると判断した場合は、所定時間待った後、再度周波数制御ＣＨをキャリアセンスし、所定回数キャリアセンスしても周波数制御ＣＨの空き状態を検出できなかった場合は、無線通信回線接続動作を終了する。
【０１５６】
周波数制御ＣＨのキャリアセンスにより、周波数制御ＣＨの空きを確認できた場合は、無線送信部１１２の送信周波数（送信ＣＨ）を周波数制御ＣＨにセットして、上述した無線接続制御情報（通信相手先となる画像形成装置のデバイスコードが付加されている）を含む無線通信回線接続要求情報を無線送信（以下単に「送信」ともいう）する。
【０１５７】
ここで、無線親局１００が送信する無線接続制御情報のデータフォーマットの一例を図１５に示す。
無線親局１００は、無線通信回線接続要求情報の送信後、無線受信部１１３の受信ＣＨを先に捕捉（選択）したデータ通信ＣＨ（空きＣＨ）の周波数にセットして、各無線子局１０１〜１０５のいずれかからの無線通信回線接続応答情報の受信を待つ。但し、所定時間待っても無線通信回線接続応答情報を受信できない場合は、無線通信回線接続動作を終了する。
【０１５８】
所定時間内に、各無線子局１０１〜１０５のいずれかからの無線通信回線接続応答情報を受信した場合は、両者の（無線親局１００と無線通信回線接続応答情報を返送した無線子局との）無線通信回線の接続が完了したことになり、無線通信回線接続動作を終了する。
【０１５９】
その後、無線親局１００は、無線送信部１１２の送信周波数（送信ＣＨ）を先に捕捉したデータ通信ＣＨの周波数にセットして、データ通信装置７から受信し、バッファリングしておいたポーリングコマンドまたはセレクティングコマンドを含むデータを送信する。
【０１６０】
一方、各無線子局１０１〜１０５はそれぞれ、通常、無線受信部１２３の受信周波数（受信ＣＨ）を周波数制御ＣＨの周波数に同調させておき、無線親局１００から周波数制御ＣＨで送信される無線接続制御情報を含む無線通信回線接続要求情報を監視し、無線通信回線接続要求情報を受信した時に、図１６に示す無線通信回線接続動作を開始する。
【０１６１】
図１６は、無線子局１０１〜１０５による無線通信回線接続動作の一例を示すフローチャートである。
各無線子局１０１〜１０５はそれぞれ、無線通信回線接続動作を開始すると、まず受信した無線通信回線接続要求情報に含まれている無線接続制御情報中のグループ番号が自身（自局）にセットされているグループ番号と一致するか否か、およびメーカコード，デバイスコードが自身の不揮発性メモリ１２６に記憶されているメーカコード，デバイスコードと一致するか否かを調べ、一致していなければ今回の無線通信回線接続要求情報の受信を無効とし、無線通信回線接続動作を終了し、他の無線通信回線接続要求情報の受信待ちの状態に戻る。
【０１６２】
メーカコード，グループ番号，およびデバイスコードが自身のものと一致した場合は、受信した無線通信回線接続要求情報に含まれている無線接続制御情報中のＣＨ情報に基づいて、送受信ＣＨをセット、つまり無線送信部１２２の送信周波数（送信ＣＨ）を指定された（無線親局１００で先に捕捉された）データ通信ＣＨ（空きＣＨ）の周波数にセットし、無線受信部１２３の受信周波数（受信ＣＨ）を指定されたデータ通信ＣＨの周波数にセットする。
【０１６３】
その後、指定されたデータ通信ＣＨをキャリアセンスし、そのデータ通信ＣＨが使用可能なＣＨであると判断した場合に、無線通信回線接続応答情報を送信（返送）し、それによって両者の（この無線子局と無線親局１００との）無線通信回線の接続が完了するため、無線通信回線接続動作を終了する。
以上により、無線親局１００に、無線子局と画像形成装置の識別情報を記憶させることなく、自局と通信相手先となる画像形成装置が有線接続されている無線子局との間で無線通信回線を正しく形成することができる。
【０１６４】
ここで、前述した通り、各画像形成装置１〜５はそれぞれユニークな（特定の）デバイスコード（識別番号）を持っており、データ通信装置７は予め定められたセレクティング機能を示す特定コード（又はコードの組み合わせ）としてのセレクティングコマンドと選択すべき（通信相手先となる）画像形成装置のデバイスコードとをシリアル通信インタフェースＲＳ−４８５上に送出する。
【０１６５】
各画像形成装置１〜５は、セレクティングコマンドにより、次に続くデバイスコードと自己のデバイスコードとを比較し、両コードが一致した時に自分がセレクティングされたことを知る。
【０１６６】
セレクティングされた画像形成装置は、送出すべきデータがある場合には、予め定められた特定コード（又はコードの組み合わせ）によるビジー（ｂｕｓｙ）応答を出力し、送出すべきデータがない場合には、セレクティングに対応可能か否かを判断し、対応可能ならば予め定められた特定コード（又はコードの組み合わせ）による肯定応答を出力し、対応不可能の場合は、予め定められた特定コード（又はコードの組み合わせ）による否定応答を出力する。
【０１６７】
図１７は、各無線子局１０１〜１０５によるデバイスコード（識別番号）取得処理の一例（請求項２の発明に係わる処理）を示すフローチャートである。
各無線子局１０１〜１０５はそれぞれ、請求項２の入力手段としての機能を有するスイッチ部１２７を設けており、それによって入力された画像形成装置のデバイスコードをセレクティングコマンドに付加して（含めて）シリアル通信インタフェースＲＳ−４８５上に送出する（入力されたデバイスコードの画像形成装置へセレクティングする）。
【０１６８】
上記シリアル通信インタフェースＲＳ−４８５を介して無線子局１０１〜１０５をそれぞれ有線接続している画像形成装置は、セレクティングコマンドに続く（付加された）デバイスコードと自己のデバイスコードとを比較照合し、両コードが一致している時は所定の応答情報（ビジー応答，肯定応答，または否定応答のいずれか）を出力し、一致していない時は所定の応答情報を出力しない（無応答）。
【０１６９】
無線子局１０１〜１０５はそれぞれ、出力したセレクティングコマンドに対して所定の応答情報（正常な応答情報）を受信すると、その応答情報を送信した画像形成装置のデバイスコード、つまりスイッチ部１２７によって入力された画像形成装置のデバイスコードを不揮発性メモリ１２６に記憶（登録）し、それにより自局を有線接続している画像形成装置のデバイスコードを取得する。
【０１７０】
これにより、各画像形成装置１〜５にそれぞれ無線子局１０１〜１０５へデバイスコードを提供するための特別なインタフェースを持たせなくても、各無線子局１０１〜１０５がそれぞれ自局を有線接続している画像形成装置のデバイスコードを取得することが可能になり、データ通信装置７と有線接続できるように製造された画像形成装置を使用して、データ通信装置７と各画像形成装置１〜５との間を無線化することができる。
【０１７１】
図１８は、各無線子局１０１〜１０５によるデバイスコード取得処理の他の例（請求項３，４の発明に係わる処理）を示すフローチャートである。
各無線子局１０１〜１０５はそれぞれ、自局に有線接続している画像形成装置に設定可能な複数の異なるデバイスコードＮ（「１」〜「１０」のような有限な値）を１つずつ（最初は「１」）セレクティングコマンドに付加して順次シリアル通信インタフェースＲＳ−４８５上に送出する（デバイスコードＮの画像形成装置へセレクティングする）。
【０１７２】
上記シリアル通信インタフェースＲＳ−４８５を介して無線子局１０１〜１０５をそれぞれ有線接続している画像形成装置は、セレクティングコマンドに続く（付加された）デバイスコードＮと自己のデバイスコードとを比較照合し、両コードが一致している時は所定の応答情報（ビジー応答，肯定応答，または否定応答のいずれか）を出力し、一致していない時は所定の応答情報を出力しない（無応答）。
【０１７３】
無線子局１０１〜１０５はそれぞれ、出力したセレクティングコマンドに対して所定の応答情報（正常な応答情報）を受信すると、その応答情報を送信した画像形成装置のデバイスコード、つまりそのセレクティングコマンドに付加した（含めた）デバイスコードを不揮発性メモリ１２６に記憶（登録）し、それにより自局を有線接続している画像形成装置のデバイスコードを取得する。
【０１７４】
また、セレクティングコマンドに「１」から「１０」のデバイスコードを１つずつ付加して出力しても、つまりいずれのセレクティングコマンドに対しても、所定の応答情報を受信しなかった場合は、その旨（ＮＧ）をＬＥＤ表示部１２８に表示する。
【０１７５】
これにより、各画像形成装置１〜５にそれぞれ無線子局１０１〜１０５へデバイスコードを提供するための特別なインタフェースを持たせなくても、また各無線子局１０１〜１０５にそれぞれ請求項２の入力手段としての機能を持たせなくても、各無線子局１０１〜１０５がそれぞれ自局を有線接続している画像形成装置のデバイスコードを取得することが可能になり、データ通信装置７と有線接続できるように製造された画像形成装置を使用して、データ通信装置７と各画像形成装置１〜５との間を無線化することができる。
【０１７６】
次に、この発明の参考例について、主に図１９以降の各図面に基づいて具体的に説明する。なお、ハード構成は前述した実施形態と同様なので、その図示および説明は省略する。
【０１７７】
この参考例において、図１２の無線親局１００の不揮発性メモリ１１６は、無線装置の呼出名称，メーカコードや、無線通信用管理テーブル（以下単に「管理テーブル」という）など、無線通信に必要な情報を記憶する。
ここで、呼出名称は、個々の無線局に固有に与えられる数字によるコードであり、製造時に書き込まれる。この参考例では、そのコードを無線親局１００の識別情報である親局ＩＤとして使用する。
【０１７８】
メーカコードは、製造メーカ等を識別するためのコードであり、製造時などに書き込まれる。管理テーブルは、各無線子局１０１〜１０５の子局ＩＤと各画像形成装置１〜５のデバイスコード（識別番号）とを対応付け（関連付け）て記憶管理するものであり、これらの子局ＩＤとデバイスコードは、後述する処理によって各無線子局１０１〜１０５より取得する。
【０１７９】
ＬＥＤ表示部１１８は、無線親局１００の動作状態、および各無線子局１０１〜１０５（又は無線子局１０１，１０３）からの受信結果などを表示する。
図１９は図１に示した画像形成装置管理システムの場合の無線親局１００の不揮発性メモリ１１６に記憶される管理テーブルの一例を、図２０は図１１に示した画像形成装置管理システムの場合の無線親局１００の不揮発性メモリ１１６に記憶される管理テーブルの一例をそれぞれ示す図である。
【０１８０】
ここで、無線親局１００は、以下の（Ａ１）〜（Ａ５）に示す各手段としての機能を果す。
（Ａ１）無線子局１０１〜１０５のいずれかから画像形成装置（被遠隔管理装置）の識別情報（識別番号）およびその無線子局の識別情報（子局ＩＤ）を受信したとき、その各識別情報を関連付けて不揮発性メモリ１１６に記憶する記憶手段としての機能
【０１８１】
（Ａ２）不揮発性メモリ１１６に記憶した画像形成装置の識別情報を表示する手段としての機能
（Ａ３）不揮発性メモリ１１６に記憶した画像形成装置の識別情報が重複したとき、その旨を表示する重複情報表示手段としての機能
【０１８２】
（Ａ４）各無線子局１０１〜１０５のいずれかから画像形成装置の識別情報および無線子局の識別情報を受信したとき、その無線子局の識別情報と不揮発性メモリ１１６に既に記憶済みの無線子局の識別情報とを比較して両識別情報が一致するか否かを判断する手段としての機能
【０１８３】
（Ａ５）それによって両識別情報が一致すると判断した場合に、その無線子局の識別情報と関連付けて記憶した画像形成装置の識別情報を上記受信した画像形成装置の識別情報に書き換える手段としての機能
（Ａ６）不揮発性メモリ１１６に記憶した画像形成装置の識別情報の重複が解消されたとき、上記重複情報表示手段としての機能による表示を解除する手段としての機能
【０１８４】
なお、無線親局１００が、（Ａ３）（Ａ６）に示した各手段としての機能に代えて、以下の（Ａ３′）（Ａ６′）に示す各手段としての機能を果すようにしてもよい。
【０１８５】
（Ａ３′）不揮発性メモリ１１６に記憶した画像形成装置の識別情報が重複したとき、その旨を示す情報（データ）をその識別情報を送信した無線子局へ無線送信する手段としての機能
（Ａ６′）不揮発性メモリ１１６に記憶した画像形成装置の識別情報の重複が解消されたとき、該識別情報の重複の表示の解除を要求する表示解除要求情報を該識別情報を送信した無線子局へ無線送信する手段としての機能
【０１８６】
なお、無線親局１００の機能をデータ通信装置７に内蔵することもできる。この場合、データ通信装置７のＣＰＵ４１，ＲＯＭ４２等からなる制御部が無線親局１００の制御部１１４の機能を、データ通信装置７のＬＥＤ表示部４９が無線親局１００のＬＥＤ表示部１１８の機能を、データ通信装置７の不揮発性ＲＡＭ４４が無線親局１００の不揮発性メモリ１１６の機能を果すようにすればよい。
【０１８７】
この参考例において、図１３の無線子局１０１〜１０５の不揮発性メモリ１２６は、無線装置の呼出名称，メーカコード，親局ＩＤなど、無線通信に必要な情報を記憶する。
ここで、呼出名称は、個々の無線局に固有に与えられる数字によるコードであり、製造時に書き込まれる。この参考例では、そのコードを無線子局の識別情報である子局ＩＤとして使用する。
【０１８８】
メーカコードは、製造メーカ等を識別するためのコードであり、製造時などに書き込まれる。
親局ＩＤとしては、無線子局の製造時あるいは設置時などに、スイッチ部１１７の所定の操作により、通信すべき相手（通信相手先）となる無線親局１００の呼出名称（親局ＩＤ）を予め入力し、不揮発性メモリ１２６に記憶しておく。
【０１８９】
ＬＥＤ表示部１２８は、それを有する無線子局の動作状態、および無線親局１００への送信結果などを表示する。
【０１９０】
ここで、無線子局１０１〜１０５はそれぞれ、自局を有線接続している画像形成装置の識別情報（識別番号）を取得する識別情報取得手段としての機能、それによって取得した画像形成装置の識別情報および自局の識別情報を無線親局１００へ無線送信する無線送信手段としての機能、その無線送信を所定回数繰り返しても、無線親局１００から正常な応答情報を受信しなかったとき、その旨を表示する手段としての機能を果たす。
【０１９１】
また、無線親局１００が上記（Ａ３′）（Ａ６′）の各手段としての機能を果す場合、無線親局１００から画像形成装置の識別情報が重複している旨を示す情報を受信したとき、その旨を表示する重複情報表示手段としての機能、および無線親局１００から表示解除要求情報を受信したとき、重複情報表示手段としての機能による表示を解除する手段としての機能を果す。
【０１９２】
なお、無線子局の機能を画像形成装置に内蔵することもできる。この場合、画像形成装置のＣＰＵ１１，ＲＯＭ１３等からなる制御部が無線子局の制御部１２４の機能を、画像形成装置の操作表示部が無線子局のＬＥＤ表示部１２８の機能を、画像形成装置の不揮発性ＲＡＭ１５が無線子局の不揮発性メモリ１２６の機能を果すようにすればよい。
【０１９３】
次に、図１に示した画像形成装置管理システムにおける無線親局１００および無線子局１０１〜１０５による無線通信回線接続動作を説明する。なお、図１１に示した画像形成装置管理システムにおける無線親局１００および無線子局１０１，１０３による無線通信回線接続動作は、上記無線通信回線接続動作と略同様なので、説明を省略する。
【０１９４】
無線親局１００と無線子局１０１〜１０５との無線通信は、通常、無線親局１００から無線子局１０１〜１０５への無線通信回線接続要求情報の発信で始められる。
データ通信装置７と画像形成装置１〜５との通信は、前述の通りデータ通信装置７が出力するポーリングコマンドまたはセレクティングコマンドによって開始される。
【０１９５】
無線親局１００は、データ通信装置７に有線接続されているＩ／Ｆライン（シリアル通信インタフェースＲＳ−４８５）より順次入力（受信）されるデータを一時バッファリングしながら、ポーリングコマンドまたはセレクティングコマンドに一致するデータ（所定の制御データ）を検出する処理を行ない、そのデータ（ポーリング／セレクティング）を検出した時に、そのデータに含まれるデータの送信先（通信相手先）となる画像形成装置のデバイスコード（識別番号）を検出する。
【０１９６】
次に、検出したデバイスコードの画像形成装置が有線接続されている無線子局の子局ＩＤを不揮発性メモリ１１６の管理テーブルより導き出し、図２１に示す無線通信回線接続動作を開始する。そして、その子局ＩＤに基づいて無線子局への無線通信回線接続要求情報を送信する。この無線通信回線接続要求情報に対して、無線子局から無線通信回線接続応答情報を受信したときにバッファリングしておいたデータについての通信を開始する。
【０１９７】
図２１は、無線親局１００による無線通信回線接続動作の一例を示すフローチャートである。
無線親局１００は、無線通信回線接続動作を開始すると、まず無線通信に使用するデータ通信ＣＨ（チャネル）（従来の技術の項で説明したＲＣＲ−ＳＴＤ１７Ａでは１〜９ＣＨのいずれか）を選択し、その選択したデータ通信ＣＨをキャリアセンスする。
【０１９８】
選択したデータ通信ＣＨのキャリアセンスにより、そのデータ通信ＣＨが使用中であると判断した場合は、再びデータ通信ＣＨ（前回と異なるＣＨ）を選択し、その選択したデータ通信ＣＨをキャリアセンスする。
そして、今回選択したデータ通信ＣＨも使用中であると判断した場合には、再びデータ通信ＣＨの選択に戻って上述と同様の処理を繰り返し行ない、その処理を所定回数繰り返しても使用可能なデータ通信ＣＨ（空きＣＨ）を選択できなかった場合は、無線通信回線接続動作を終了する。
【０１９９】
選択したデータ通信ＣＨのキャリアセンスにより、そのデータ通信ＣＨが使用可能なＣＨ（空きＣＨ）であると判断した場合は、そのＣＨ情報および不揮発性メモリ１１６の管理テーブルより導き出した子局ＩＤを無線接続制御情報に付加し、次に無線受信部１１３の受信ＣＨ（受信周波数）を周波数制御ＣＨ（ＲＣＲ−ＳＴＤ１７Ａの場合は１０ＣＨ）にセットし、その周波数制御ＣＨをキャリアセンスする。
【０２００】
周波数制御ＣＨのキャリアセンスにより、周波数制御ＣＨが使用中であると判断した場合は、所定時間待った後、再度周波数制御ＣＨをキャリアセンスし、所定回数キャリアセンスしても周波数制御ＣＨの空き状態を検出できなかった場合は、無線通信回線接続動作を終了する。
【０２０１】
周波数制御ＣＨのキャリアセンスにより、周波数制御ＣＨの空きを確認できた場合は、無線送信部１１２の送信周波数（送信ＣＨ）を周波数制御ＣＨにセットして、上述した無線接続制御情報（通信相手先となる画像形成装置に有線接続されている通信子局の子局ＩＤが付加されている）を含む無線通信回線接続要求情報を送信する。
【０２０２】
ここで、無線親局１００が送信する無線接続制御情報のデータフォーマットの一例を図２２に示す。
無線親局１００は、無線通信回線接続要求情報の送信後、無線受信部１１３の受信ＣＨを先に捕捉（選択）したデータ通信ＣＨ（空きＣＨ）の周波数にセットして、各無線子局１０１〜１０５のいずれかからの無線通信回線接続応答情報の受信を待つ。但し、所定時間待っても無線通信回線接続応答情報を受信できない場合は、無線通信回線接続動作を終了する。
【０２０３】
所定時間内に、各無線子局１０１〜１０５のいずれかからの無線通信回線接続応答情報を受信した場合は、両者の（無線親局１００と無線通信回線接続応答情報を返送した無線子局との）無線通信回線の接続が完了したことになり、無線通信回線接続動作を終了する。
【０２０４】
その後、無線親局１００は、無線送信部１１２の送信周波数（送信ＣＨ）を先に捕捉したデータ通信ＣＨの周波数にセットして、データ通信装置７から受信し、バッファリングしておいたポーリングコマンドまたはセレクティングコマンドを含むデータを送信する。
【０２０５】
一方、各無線子局１０１〜１０５はそれぞれ、通常、無線受信部１２３の受信周波数（受信ＣＨ）を周波数制御ＣＨの周波数に同調させておき、無線親局１００から周波数制御ＣＨで送信される無線接続制御情報を含む無線通信回線接続要求情報を監視し、無線通信回線接続要求情報を受信した時に、図２３に示す無線通信回線接続動作を開始する。
【０２０６】
図２３は、無線子局１０１〜１０５による無線通信回線接続動作の一例を示すフローチャートである。
各無線子局１０１〜１０５はそれぞれ、無線通信回線接続動作を開始すると、まず受信した無線通信回線接続要求情報に含まれている無線接続制御情報中のメーカコード，子局ＩＤ（呼出名称）が自身の不揮発性メモリ１２６に記憶されているメーカコード，子局ＩＤと一致するか否かを調べ、一致していなければ今回の無線通信回線接続要求情報の受信を無効とし、無線通信回線接続動作を終了し、他の無線通信回線接続要求情報の受信待ちの状態に戻る。
【０２０７】
メーカコード，子局ＩＤが自身のものと一致した場合は、受信した無線通信回線接続要求情報に含まれている無線接続制御情報中のＣＨ情報に基づいて、送受信ＣＨをセット、つまり無線送信部１２２の送信周波数（送信ＣＨ）を指定された（無線親局１００で先に捕捉された）データ通信ＣＨ（空きＣＨ）の周波数にセットし、無線受信部１２３の受信周波数（受信ＣＨ）を指定されたデータ通信ＣＨの周波数にセットする。
【０２０８】
その後、指定されたデータ通信ＣＨをキャリアセンスし、そのデータ通信ＣＨが使用可能なＣＨであると判断した場合に、無線通信回線接続応答情報を送信（返送）し、それによって両者の（この無線子局と無線親局１００との）無線通信回線の接続が完了するため、無線通信回線接続動作を終了する。
以上により、無線親局１００と通信相手先となる画像形成装置が有線接続されている無線子局との間で無線通信回線を形成し、この無線通信回線を介してデータ通信装置７と上記画像形成装置との間で通信を実施することができる。
【０２０９】
ここで、前述した通り、各画像形成装置１〜５は、予め定められたセレクティング機能を示す特定コード（又はコードの組み合わせ）、つまりセレクティングコマンドにより、次に続くデバイスコードと自己のデバイスコードとを比較し、両コードが一致した時に自分がセレクティングされたことを知る。
【０２１０】
セレクティングされた画像形成装置は、送出すべきデータがある場合には、予め定められた特定コード（又はコードの組み合わせ）によるビジー（ｂｕｓｙ）応答を出力し、送出すべきデータがない場合には、セレクティングに対応可能か否かを判断し、対応可能ならば予め定められた特定コード（又はコードの組み合わせ）による肯定応答を出力し、対応不可能の場合は、予め定められた特定コード（又はコードの組み合わせ）による否定応答を出力する。
【０２１１】
図２４は、各無線子局１０１〜１０５によるデバイスコード取得処理の一例を示すフローチャートである。
各無線子局１０１〜１０５はそれぞれ、自局に有線接続している画像形成装置に設定可能な複数の異なるデバイスコードＮ（「１」〜「１０」のような有限な値）を１つずつ（最初は「１」）セレクティングコマンドに付加して順次シリアル通信インタフェースＲＳ−４８５上に送出する（デバイスコードＮの画像形成装置へセレクティングする）。
【０２１２】
上記シリアル通信インタフェースＲＳ−４８５を介して無線子局１０１〜１０５をそれぞれ有線接続している画像形成装置は、セレクティングコマンドに続く（付加された）デバイスコードＮと自己のデバイスコードとを比較照合し、両コードが一致している時は所定の応答情報（ビジー応答，肯定応答，または否定応答のいずれか）を出力し、一致していない時は所定の応答情報を出力しない（無応答）。
【０２１３】
無線子局１０１〜１０５はそれぞれ、出力したセレクティングコマンドに対して所定の応答情報（正常な応答情報）を受信すると、その応答情報を送信した画像形成装置のデバイスコード、つまりそのセレクティングコマンドに付加した（含めた）デバイスコードを不揮発性メモリ１２６に記憶（登録）し、それにより自局を有線接続している画像形成装置のデバイスコードを取得する。
【０２１４】
なお、セレクティングコマンドに「１」から「１０」のデバイスコードを１つずつ付加して出力しても、つまりいずれのセレクティングコマンドに対しても、所定の応答情報を受信しなかった場合には、その旨をＬＥＤ表示部１２８に表示するようにすることもできる。
【０２１５】
図２５は無線子局１０１〜１０５による子局ＩＤ／デバイスコード送信動作の一例を、図２６は無線親局１００による子局ＩＤ／デバイスコード受信動作の一例をそれぞれ示すフローチャートである。なお、以下の説明では、無線局間の無線通信回線接続動作の詳細は省略する。
【０２１６】
各無線子局１０１〜１０５はそれぞれ、スイッチ部１２７の所定の操作により、子局ＩＤ／デバイスコード送信モードになると、まず自局を有線接続している画像形成装置のデバイスコードを取得する。このデバイスコードの取得方法は、前述の通りである。
【０２１７】
次に、不揮発性メモリ１２６に記憶されている親局ＩＤ（無線親局１００の識別情報）および子局ＩＤ（自局の識別情報）を読み出し、この親局ＩＤ，子局ＩＤ，および先に取得したデバイスコードを無線接続制御情報に付加し、その無線接続制御情報を含む無線通信回線接続要求情報を無線親局１００へ送信する。
ここで、各無線子局１０１〜１０５がそれぞれ送信する無線接続制御情報のデータフォーマットの一例を図２７に示す。
【０２１８】
そして、無線親局１００へ送信した無線通信回線接続要求情報に対して、所定時間内に無線親局１００から無線通信回線接続応答情報を受信すると、送信した無線通信回線接続要求情報（子局ＩＤおよびデバイスコードを含む）が無線親局１００で正常に受信されたと判断して、図２５の処理を終了し、子局ＩＤ／デバイスコード送信モードを解除（終了）する。
【０２１９】
無線親局１００へ送信した無線通信回線接続要求情報に対して、所定時間待っても、無線親局１００から無線通信回線接続応答情報を受信できなかった場合は、無線親局１００が受信不可能な状態にあると判断して、図２５の処理を終了し、子局ＩＤ／デバイスコード送信モードを解除（終了）する。
【０２２０】
なお、この例では、子局ＩＤおよびデバイスコードを無線通信回線接続要求情報と同時に送信する（子局ＩＤおよびデバイスコードが付加された無線接続制御情報を含む無線通信回線接続要求情報を送信する）ようにしたが、無線通信回線接続要求情報の送信により無線通信回線が接続（形成）された後、その無線通信回線上で送信するようにしてもよい。
【０２２１】
一方、無線親局１００は、スイッチ部１１７の所定の操作によって管理テーブル作成モードになり、この動作モードの間に、無線子局１０１〜１０５のいずれかから無線接続制御情報を含む無線通信回線接続要求情報を受信した場合は、その無線接続制御情報に付加されている（含まれている）親局ＩＤが自己（自局）の親局ＩＤ（不揮発性メモリ１１６に記憶されている親局ＩＤ）と一致するか否かを調べ、一致していれば無線通信回線接続応答情報を返送すると共に、受信した無線通信回線接続要求情報の無線接続制御情報に含まれている子局ＩＤとデバイスコードとを読み取り、それらを関連付けて不揮発性メモリ１１６内の管理テーブルに記憶する。
【０２２２】
管理テーブルへの記憶を行なった後は、他の無線子局からの無線通信回線接続要求情報の送信に備え、受信待機する。
受信した無線通信回線接続要求情報中の無線接続制御情報に付加されている親局ＩＤが自己の親局ＩＤと一致しない場合は、無線子局１０１〜１０５のいずれかからの無線通信回線接続要求情報の送信は自己への送信ではないので、その受信を無効にして、受信待機状態に戻る。
【０２２３】
この管理テーブル作成モード、つまりこのモードによる図２６の処理は、スイッチ部１１７による所定の操作（モード終了操作）、具体的にはその操作によって発行される動作終了命令によって終了する。
【０２２４】
図２８は、各無線子局１０１〜１０５による子局ＩＤ／デバイスコード送信動作の他の例を示すフローチャートである。
各無線子局１０１〜１０５はそれぞれ、スイッチ部１２７の所定の操作により、子局ＩＤ／デバイスコード送信モードになると、図２５と同様の処理により、親局ＩＤ，子局ＩＤ，およびデバイスコードが付加された無線接続制御情報を含む無線通信回線接続要求情報を無線親局１００へ送信する。
【０２２５】
そして、無線親局１００へ送信した無線通信回線接続要求情報に対して、所定時間内に無線親局１００から無線通信回線接続応答情報を受信すると、送信した無線通信回線接続要求情報（子局ＩＤおよびデバイスコードを含む）が無線親局１００で正常に受信されたと判断して、図２８の処理を終了し、子局ＩＤ／デバイスコード送信モードを解除（終了）する。
【０２２６】
しかし、無線親局１００へ送信した無線通信回線接続要求情報に対して、所定時間待機しても無線親局１００から無線通信回線接続応答情報を受信できなかった場合は、同じ無線通信回線接続要求情報を再び無線親局１００へ送信するが、それを所定回数繰り返しても、無線親局１００から無線通信回線接続応答情報（正常な応答情報）を受信できなかった場合は、その旨（ＮＧ）を表示する
【０２２７】
図２９は、無線親局１００によるテーブル更新動作の一例を示すフローチャートである。
無線親局１００は、スイッチ部１１７の所定の操作によって管理テーブル更新モードになり、この動作モードの間に、無線子局１０１〜１０５のいずれかから無線接続制御情報を含む無線通信回線接続要求情報を受信した場合は、その無線接続制御情報に付加されている親局ＩＤが自己の親局ＩＤ（不揮発性メモリ１１６に記憶されている親局ＩＤ）と一致するか否かを調べる。
【０２２８】
そして、受信した無線通信回線接続要求情報中の無線接続制御情報に付加されている親局ＩＤが自己の親局ＩＤと一致した場合は、その無線接続制御情報から子局ＩＤとデバイスコード（画像形成装置の識別番号）とを読み取り、その子局ＩＤ（受信した子局ＩＤ）と不揮発性メモリ１１６内の管理テーブルに記憶済みの子局ＩＤとを比較し、両子局ＩＤが一致する（受信した子局ＩＤと同一の子局ＩＤが管理テーブルに存在する）か否かを判断する。
【０２２９】
そして、上記線接続制御情報から読み取った子局ＩＤ（受信した子局ＩＤ）と不揮発性メモリ１１６内の管理テーブルに記憶済みの子局ＩＤとが一致しない場合（受信した子局ＩＤと同一の子局ＩＤが管理テーブルに存在しない場合）は、その読み取った子局ＩＤとデバイスコードとを関連付けて管理テーブルに新規に記憶する（追加する）。
【０２３０】
また、上記線接続制御情報から読み取った子局ＩＤ（受信した子局ＩＤ）と不揮発性メモリ１１６内の管理テーブルに記憶済みの子局ＩＤとが一致する場合（受信した子局ＩＤと同一の子局ＩＤが管理テーブルに存在）する場合は、その子局ＩＤと関連付けて管理テーブルに記憶されているデバイスコードを今回受信したデバイスコードに書き換える。
【０２３１】
その後、不揮発性メモリ１１６内の管理テーブルに記憶されているデバイスコードをＬＥＤ表示部１１８に表示する。
それによって、無線親局１００で管理している画像形成装置あるいは管理することになる画像形成装置を認識することができる。
【０２３２】
デバイスコードの表示方法としては、例えば、無線親局１００が管理する画像形成装置の最大数が５台だとすれば、ＬＥＤ表示部１１８に図３０に示すような５個のＬＥＤを設け、その個々のＬＥＤをデバイスコード「１」〜「５」にそれぞれ割り当て、管理テーブルに記憶されているデバイスコードをそれに対応するＬＥＤのみを点灯させることにより表示させる方法があるが、その方法を用いることによってコストを削減することができる。
【０２３３】
デバイスコードの表示を行なった後は、不揮発性メモリ１１６内の管理テーブルに記憶されているデバイスコードが重複する（同じデバイスコードが複数存在する）か否かを判断し、重複する場合はその旨をＬＥＤ表示部１１８に表示する。例えば、ＬＥＤ表示部１１８に図３０に示したような５個のＬＥＤを設けている場合は、重複するデバイスコードに対応するＬＥＤを点滅させる。
【０２３４】
次いで、不揮発性メモリ１１６内の管理テーブルに記憶されているデバイスコードが重複する旨を示す情報（重複情報）を含む無線通信回線接続応答情報を、そのデバイスコードが付加されている無線接続制御情報を含む無線通信回線接続要求情報を送信した無線子局へ返送（送信）する。
【０２３５】
また、不揮発性メモリ１１６内の管理テーブルに記憶されているデバイスコードが重複していない（同じデバイスコードが複数存在しない）場合は、いままでその管理テーブルに記憶されているデバイスコードが重複する旨をＬＥＤ表示部１１８に表示していたか否かを判断し、表示していなかった場合は通常の無線通信回線接続応答情報を返送する。
【０２３６】
いままで不揮発性メモリ１１６内の管理テーブルに記憶されているデバイスコードが重複する旨をＬＥＤ表示部１１８に表示していた場合は、その管理テーブルに記憶されているデバイスコードの重複が解消されたと判断し、その表示（重複表示）を解除すると共に、その重複表示の解除を要求する情報（表示解除要求情報）を含む無線通信回線接続応答情報を返送する。
【０２３７】
無線通信回線接続応答情報を返送した後は、他の無線子局からの無線通信回線接続要求情報の送信に備え、受信待機する。
受信した無線通信回線接続要求情報中の無線接続制御情報に付加されている親局ＩＤが自己の親局ＩＤと一致しない場合は、無線子局１０１〜１０５のいずれかからの無線通信回線接続要求情報の送信は自己への送信ではないので、その受信を無効にして、受信待機状態に戻る。
【０２３８】
この管理テーブル更新モード、つまりこのモードによる図２９の処理は、スイッチ部１１７による所定の操作（モード終了操作）、具体的にはその操作によって発行される動作終了命令によって終了する。
【０２３９】
したがって、設置者が、設置した画像形成装置に有線接続されている無線子局にその子局ＩＤおよびデバイスコードを設置したデータ通信装置７に有線接続されている無線親局１００へ送信させる処理（図２５又は図２８）を行なわせるための操作（スイッチ部１２７の操作による子局ＩＤ／デバイスコード送信モードの設定）を実施した後、無線親局１００のＬＥＤ表示部１１８の重複表示から設置した画像形成装置のデバイスコードを重複して（誤って）設定してしまったことに気づいたとき、その設定を修正し、上記操作を再実施するだけで、無線親局１００の不揮発性メモリ１１６内の管理テーブルに上記子局ＩＤと関連付けて記憶されたデバイスコードを正しいデバイスコードに修正して、デバイスコードの重複を解消することができる。
【０２４０】
また、この参考例の場合、設置した複数の画像形成装置１〜５にそれぞれ無線子局１０１〜１０５が設置されているので、設置したデータ通信装置７に有線接続されている無線親局１００を管理テーブル更新モード（管理テーブル作成モード）にしたまま、各無線子局１０１〜１０５に順次子局ＩＤおよびデバイスコードを無線親局１００へ送信させる処理を行なわせるための操作を実施することにより、無線親局１００の不揮発性メモリ１１６に短時間で最適な管理テーブルを作成することができる。
【０２４１】
図３１は、各無線子局１０１〜１０５による子局ＩＤ／デバイスコード送信動作の更に他の例を示すフローチャートである。
各無線子局１０１〜１０５はそれぞれ、スイッチ部１２７の所定の操作により、子局ＩＤ／デバイスコード送信モードになると、図２５および図２８と同様の処理により、親局ＩＤ，子局ＩＤ，およびデバイスコードが付加された無線接続制御情報を含む無線通信回線接続要求情報を無線親局１００へ送信する。
【０２４２】
そして、無線親局１００へ送信した無線通信回線接続要求情報に対して、所定時間内に無線親局１００から無線通信回線接続応答情報を受信すると、送信した無線通信回線接続要求情報（子局ＩＤおよびデバイスコードを含む）が無線親局１００で正常に受信されたと判断し、受信した無線通信回線接続応答情報に重複情報が含まれているかどうかを判断して、その無線通信回線接続応答情報に重複情報が含まれていなければそのまま図３１の処理を終了し、子局ＩＤ／デバイスコード送信モードを解除する。
【０２４３】
また、受信した無線通信回線接続応答情報に重複情報が含まれている場合（重複情報を受信した場合）は、無線親局１００の不揮発性メモリ１１６内の管理テーブルに記憶されているデバイスコードが重複する旨（設定したデバイスコードが重複している旨）をＬＥＤ表示部１２８に表示した（重複表示を行なった）後、図３１の処理を終了し、子局ＩＤ／デバイスコード送信モードを解除する。
【０２４４】
無線親局１００へ送信した無線通信回線接続要求情報に対して、所定時間待機しても無線親局１００から無線通信回線接続応答情報を受信できなかった場合は、同じ無線通信回線接続要求情報を再び無線親局１００へ送信するが、それを所定回数繰り返しても、無線親局１００から無線通信回線接続応答情報（正常な応答情報）を受信できなかった場合は、その旨（ＮＧ）を表示した後、図３１の処理を終了し、子局ＩＤ／デバイスコード送信モードを解除する。
【０２４５】
なお、受信した無線通信回線接続応答情報に重複情報が含まれていない場合（重複情報を受信しなかった場合）、その無線通信回線接続応答情報に表示解除要求情報が含まれているかどうかを判断して、表示解除要求情報が含まれている場合にはＬＥＤ表示部１２８の重複表示を解除した後、図３１の処理を終了し、子局ＩＤ／デバイスコード送信モードを解除するようにすることもできる。
【０２４６】
したがって、設置者が、設置した画像形成装置に有線接続されている無線子局にその子局ＩＤおよびデバイスコードを設置したデータ通信装置７に有線接続されている無線親局１００へ送信させる処理（図３１）を行なわせるための操作（スイッチ部１２７の操作による子局ＩＤ／デバイスコード送信モードの設定）を実施した後、上記無線子局のＬＥＤ表示部１２８の重複表示から設置した画像形成装置のデバイスコードを重複して（誤って）設定してしまったことに気づいたとき、その設定を修正し、上記操作を再実施するだけで、無線親局１００の不揮発性メモリ１１６内の管理テーブルに上記子局ＩＤと関連付けて記憶されたデバイスコードを正しいデバイスコードに修正して、デバイスコードの重複を解消することができる。
【０２４７】
以上、この発明を画像形成装置（被遠隔管理装置）を遠隔管理するための遠隔管理システム（画像形成装置管理システム）に適用した実施形態について説明したが、この発明はこれに限らず、複写装置の複写枚数を部門別に管理するキーカード装置やガスメータ，電力量メータ，自動販売機等の各種の被遠隔管理装置を遠隔管理するための遠隔管理システムに適用可能である。
【０２４８】
【発明の効果】
以上説明してきたように、請求項１の発明の遠隔管理システムによれば、無線子局が、自局に接続されている被遠隔管理装置の識別情報を取得する手段を設け、その取得した識別情報を自局の識別情報と同等に使用することにより、無線親局あるいはそれが接続されているデータ通信装置は、被遠隔管理装置の識別情報を管理するだけで済む。つまり、無線子局の識別情報と被遠隔管理装置の識別情報をセットにして管理しなくて済む。
【０２４９】
したがって、結果的に無線親局あるいはそれが接続されているデータ通信装置の記憶内容の管理（製造工程や販売工程での管理）が容易になり、その管理を軽減することができる。また、無線親局あるいはそれが接続されているデータ通信装置に対する登録操作を容易にでき、その登録操作のためのコストを低減することができる。
【０２５０】
請求項２の発明の遠隔管理システムによれば、請求項１の発明と同様の効果に加え、無線子局が、データ通信装置と同様のセレクティング機能を持つことにより、被遠隔管理装置が自身の識別情報を無線子局へ出力するための特別なＩ／Ｆを持たなくて済み、またデータ通信装置に接続されていた被遠隔管理装置を改良したり交換したりしなくても、そのデータ通信装置と被遠隔管理装置との間を無線化することができるため、一層のコスト低減を図ることができるという効果を得ることができる。
【０２５１】
請求項３の発明の遠隔管理システムによれば、請求項２の発明と同様の効果に加え、無線子局に接続される被遠隔管理装置の識別情報を予め入力手段によって入力しておく必要がなく、その分だけ無線子局に被遠隔管理装置の識別情報を取得させるための操作が容易になるという効果を得ることができる。
【０２５２】
請求項４の発明の遠隔管理システムによれば、請求項３の発明と同様の作用効果に加え、無線子局が被遠隔管理装置に正しく接続されているかどうかを設置者が認識することが可能になるため、設置者の作業負担が軽減されるという効果を得ることができる。
【図面の簡単な説明】
【図１】  この発明の一実施形態である画像形成装置管理システム（遠隔管理システム）の構成例を示すブロック図である。
【図２】この発明の基礎となる画像形成装置管理システムの構成例を示すブロック図である。
【図３】図２の画像形成装置１〜５の制御部の構成例を示すブロック図である。
【図４】図３のパーソナルＩ／Ｆ１８の構成例を示すブロック図である。
【図５】図２の画像形成装置１〜５の操作表示部の構成例を示すレイアウト図である。
【図６】図５の文字表示器８３に電源投入時に表示される画像形成モード画面の一例を示す図である。
【図７】図２のデータ通信装置７の一例を示すブロック構成図である。
【図８】図７のＮＣＵ４７の構成例を示すブロック図である。
【図９】図７のデータ通信装置７におけるセレクティング動作の一例を示すフロー図である。
【図１０】同じくポーリング動作の一例を示すフロー図である。
【図１１】  この発明の一実施形態である画像形成装置管理システムの他の構成例を示すブロック図である。
【図１２】図１，図１１の無線親局１００の構成例を示すブロック図である。
【図１３】図１，図１１の無線子局１０１〜１０５の構成例を示すブロック図である。
【図１４】図１２に示した無線親局１００による無線通信回線接続動作の一例を示すフロー図である。
【図１５】図１２に示した無線親局１００から送信される無線接続制御情報のデータフォーマットの一例を示す図である。
【図１６】図１３に示した無線子局１０１〜１０５による無線通信回線接続動作の一例を示すフロー図である。
【図１７】図１３に示した無線子局１０１〜１０５によるデバイスコード（識別番号）取得処理の一例（請求項２の発明に係わる処理）を示すフロー図である。
【図１８】図１３に示した無線子局１０１〜１０５によるデバイスコード取得処理の他の例（請求項３，４の発明に係わる処理）を示すフロー図である。
【図１９】  この発明の参考例における図１の画像形成装置管理システムの無線親局１００の不揮発性メモリ１１６に記憶される管理テーブルの一例を示す図である。
【図２０】同じく図９の画像形成装置管理システムの場合の無線親局１００の不揮発性メモリ１１６に記憶される管理テーブルの一例を示す図である。
【図２１】同じく図１２に示した無線親局１００による無線通信回線接続動作の一例を示すフロー図である。
【図２２】同じく図１２に示した無線親局１００から送信される無線接続制御情報のデータフォーマットの一例を示す図である。
【図２３】同じく図１３に示した無線子局１０１〜１０５による無線通信回線接続動作の一例を示すフロー図である。
【図２４】同じく図１３に示した無線子局１０１〜１０５によるデバイスコード取得処理の一例を示すフロー図である。
【図２５】  同じく図１３に示した無線子局１０１〜１０５による子局ＩＤ／デバイスコード送信動作の一例を示すフロー図である。
【図２６】  同じく図１２に示した無線親局１００による子局ＩＤ／デバイスコード受信動作の一例を示すフロー図である。
【図２７】同じく図１３に示した無線子局１０１〜１０５からそれぞれ送信される無線接続制御情報のデータフォーマットの一例を示す図である。
【図２８】  同じく図１３に示した無線子局１０１〜１０５による子局ＩＤ／デバイスコード送信動作の他の例を示すフロー図である。
【図２９】  同じく図１２に示した無線親局１００によるテーブル更新動作の一例を示すフロー図である。
【図３０】同じく図１２に示した無線親局１００のＬＥＤ表示部１１８の一部の構成例を示すレイアウト図である。
【図３１】  同じく図１３に示した無線子局１０１〜１０５による子局ＩＤ／デバイスコード送信動作の更に他の例を示すフロー図である。
【図３２】従来の画像形成装置管理システムにおけるデータ通信装置と複数の画像形成装置との間を無線化した場合の問題点を説明するための図である。
【符号の説明】
１〜５：画像形成装置            ６：中央制御装置
７，：データ通信装置            ８：公衆回線
１１，２１，４１：ＣＰＵ        １３，４２：ＲＯＭ
１４，４３：ＲＡＭ      １５，４４：不揮発性ＲＡＭ
１７ａ，１７ｂ，１７ｃ：シリアル通信制御ユニット
１８：パーソナルＩ／Ｆ
３０：デバイスコード設定スイッチ
３１：ＰＰＣコントローラ  ４６：画像形成装置Ｉ／Ｆ
４７：ＮＣＵ              ４８：モデム
４９，１１８，１２８：ＬＥＤ表示部
５１：保護回路            ５２：ループ電流検出回路
５３：リンギング検出回路  ５４：ライン切替回路
５５：ループ形成回路      １００：無線親局
１０１〜１０５：無線子局  １１１，１２１：アンテナ
１１２，１２２：無線送信部
１１３，１２３：無線受信部  １１４，１２４：制御部
１１５，１２５：ＲＳ４８５ドライバ
１１６，１２６：不揮発性メモリ
１１７，１２７：スイッチ部
【図１】
0003913949.tif 000002
【図２】
0003913949.tif 000003
【図３】
0003913949.tif 000004
【図４】
0003913949.tif 000005
【図５】
0003913949.tif 000006
【図６】
0003913949.tif 000007
【図７】
0003913949.tif 000008
【図８】
0003913949.tif 000009
【図９】
0003913949.tif 000010
【図１０】
0003913949.tif 000011
【図１１】
0003913949.tif 000012
【図１２】
0003913949.tif 000013
【図１３】
0003913949.tif 000014
【図１４】
0003913949.tif 000015
【図１５】
0003913949.tif 000016
【図１６】
0003913949.tif 000017
【図１７】
0003913949.tif 000018
【図１８】
0003913949.tif 000019
【図１９】
0003913949.tif 000020
【図２０】
0003913949.tif 000021
【図２１】
0003913949.tif 000022
【図２２】
0003913949.tif 000023
【図２３】
0003913949.tif 000024
【図２４】
0003913949.tif 000025
【図２５】
0003913949.tif 000026
【図２６】
0003913949.tif 000027
【図２７】
0003913949.tif 000028
【図２８】
0003913949.tif 000029
【図２９】
0003913949.tif 000030
【図３０】
0003913949.tif 000031
【図３１】
0003913949.tif 000032
【図３２】
0003913949.tif 000033